(57)【特許請求の範囲】
【請求項１】
柔軟性を有する給水袋と、その給水袋の袋口が連通される花茎挿入口を有する本体部材とを備え、箱状の花梱包箱に収容され、切り花の花茎の基端を前記本体部材の花茎挿入口から前記給水袋内に挿入した状態で使用される花立てスタンドにおいて、
前記本体部材は、
前記花茎挿入口が開口形成されると共に前記給水袋が底面側に取り付けられる支持板と、
その支持板との間に折り曲げ部分である背板折曲辺が形成される背板と、
その背板との間に折り曲げ部分である脚板折曲辺が形成され前記支持板の底面側に配置される一対の脚板と、
前記一対の脚板の側縁のうちの前記支持板の底面に対面する側の側縁からそれぞれ突設される突片と、
それら一対の脚板の突片がそれぞれ差し込み可能に前記支持板に開口形成される一対の差し込み孔と、を備え、
前記支持板の一対の差し込み孔に前記一対の脚板の突片がそれぞれ差し込まれた状態では、前記支持板が前記背板および一対の脚板によって三方から支えられることを特徴とする花立てスタンド。
【請求項２】
前記本体部材は、前記支持板における前記背板側の側縁と前記一対の脚板における前記背板側の側縁との間をそれぞれ連結する一対の連結板を備えることを特徴とする請求項１記載の花立てスタンド。
【請求項３】
前記本体部材は、前記支持板および連結板の間の折り曲げ部分となる第１連結辺と、前記脚板および連結板の間の折り曲げ部分となる第２連結辺とが交差する部分に開口形成される交差部開口を備えることを特徴とする請求項２記載の花立てスタンド。
【請求項４】
前記支持板の一対の差し込み孔に前記一対の脚板の突片がそれぞれ差し込まれた状態では、前記一対の脚板の対向間隔が前記背板から離間するほど大きくされることを特徴とする請求項１から３のいずれかに記載の花立てスタンド。
【請求項５】
前記本体部材は、前記背板に開口形成される把持用開口を備えることを特徴とする請求項１から４のいずれかに記載の花立てスタンド。
【請求項６】
前記本体部材は、前記支持板の前記背板と反対側の側縁に前記突片と同一の形状で凹設される凹部を備えることを特徴とする請求項１から５のいずれかに記載の花立てスタンド。
【発明の詳細な説明】
【技術分野】
【０００１】
本発明は花立てスタンドに関し、特に、自立姿勢を安定化できる花立てスタンドに関するものである。
【背景技術】
【０００２】
切り花は、段ボール製の細長い箱状の花梱包箱に収容されて輸送される。特許文献１には、花梱包箱に組み込んで使用する花立てスタンドが開示される。この花立てスタンドは、花茎挿入口が開口される支持板と、その支持板の対向する二辺を折り曲げて形成される脚板と、支持板の底面に取り付けられる給水袋とからなり、給水袋の袋口は、支持板の花茎挿入口に連通される。よって、切り花の花茎の基端を花茎挿入口から給水袋内に挿入しておくことで、給水袋内の水分を吸水可能な状態で切り花を輸送することができる。
【０００３】
この場合、花立てスタンドは、支持板の対向する二辺を折り曲げ、一対の脚板を起立状態とすることで、自立させ、花茎挿入口から給水袋内へ注水した後、花梱包箱に組み込まれる。
【先行技術文献】
【特許文献】
【０００４】
【特許文献１】特許第３６４６８０７号（例えば、段落０００６〜０００９、第１図から第４図など）
【発明の概要】
【発明が解決しようとする課題】
【０００５】
しかしながら、上述した従来の花立てスタンドでは、段ボールをコ字形状に折り曲げる形状であるため、折り曲げ部分（支持板の対向する二辺）を基点として傾倒しやすく（折り畳まれやすく）、そのため、自立姿勢が不安定であるという問題点があった。そのため、給水袋へ注水する作業時に、花立てスタンドを作業者が手で支えることが必要となる場合があった。
【０００６】
なお、上述した従来の花立てスタンドでは、一対の脚板の間に板状の補強板を架設して、自立姿勢を保ちやすくする構造が採用される。しかしながら、補強板は、折り曲げ部分に対して平行な姿勢で架設されるため、折り曲げ部分を基点する傾倒（折り畳み）を十分に抑制することができなかった。更に、補強板が別部品であるため、その分、花立てスタンドの組み立て工数が嵩むだけでなく、補強板を紛失するおそれがあった。
【０００７】
本発明は、上述した問題点を解決するためになされたものであり、自立姿勢を安定化できる花立てスタンドを提供することを目的としている。
【課題を解決するための手段および発明の効果】
【０００８】
請求項１記載の花立てスタンドによれば、本体部材は、花茎挿入口が開口形成されると共に給水袋が底面側に取り付けられる支持板と、その支持板との間に折り曲げ部分である背板折曲辺が形成される背板と、その背板との間に折り曲げ部分である脚板折曲辺が形成され支持板の底面側に配置される一対の脚板とを備えるので、支持板を、背板および一対の脚板によって三方から支えることができる。即ち、折り曲げ部分を基点として傾倒することを抑制できる。よって、自立姿勢を安定化できる。
また、本体部材は、一対の脚板の側縁のうちの支持板の底面に対面する側の側縁からそれぞれ突設される突片と、それら一対の脚板の突片がそれぞれ差し込み可能に支持板に開口形成される一対の差し込み孔とを備えるので、支持板と一対の脚板との相対位置を固定でき、自立姿勢を安定化できる。
【０００９】
なお、本体部材の素材としては、例えば、紙製の紙板、プラスチック（例えば、ポリプロピレンやポリカーボネート）製のシート又は板状体、紙製またはプラスチック製の段ボールが例示される。段ボールは、片面段ボール又は両面段ボールのいずれであっても良い。また、紙製の紙板・段ボールは、防水紙板・防水段ボール、はっ水紙板・はっ水段ボール、耐水紙板・耐水段ボールのいずれでであっても良い。
【００１０】
請求項２記載の花立てスタンドによれば、請求項１記載の花立てスタンドの奏する効果に加え、本体部材は、支持板における背板側の側縁と一対の脚板における背板側の側縁との間をそれぞれ連結する一対の連結板を備えるので、背板に対して一対の脚板を折り曲げる際に、連結板を介して、支持板を背板に対して折り曲げることができる。よって、花立てスタンドの組み立てを効率化できる。
【００１１】
請求項３記載の花立てスタンドによれば、請求項２記載の花立てスタンドの奏する効果に加え、本体部材は、支持板および連結板の間の折り曲げ部分となる第１連結辺と、脚板および連結板の間の折り曲げ部分となる第２連結辺とが交差する部分に開口形成される交差部開口を備えるので、かかる交差部開口の空間内へ素材を受け入れて、第１連結辺および第２連結辺の折り曲げを許容しやすくできる。
【００１２】
【００１３】
請求項４記載の花立てスタンドによれば、請求項１から３のいずれかに記載の花立てスタンドの奏する効果に加え、支持板の一対の差し込み孔に一対の脚板の突片がそれぞれ差し込まれた状態では、一対の脚板の対向間隔が背板から離間するほど大きくされるので、接地領域を確保でき、その分、自立姿勢を安定化できる。
【００１４】
請求項５記載の花立てスタンドによれば、請求項１から４のいずれかに記載の花立てスタンドの奏する効果に加え、本体部材は、背板に開口形成される把持用開口を備えるので、把持用開口を利用して本体部材を把持でき、給水袋を持つ必要がないので、運搬や花梱包箱へ組み込む際に、給水袋から水があふれることを抑制できる。
【００１５】
また、把持用開口は、背板に形成される、即ち、支持板から背板を折り曲げる一辺と背板から一対の脚板を折り曲げる二辺との三辺に取り囲まれた領域に形成されるので、本体部材の剛性の高い部分を持ち手とすることができる。よって、花立てスタンドを安定した姿勢で運搬できる。
【００１６】
請求項６記載の花立てスタンドによれば、請求項１から５のいずれかに記載の花立てスタンドの奏する効果に加え、本体部材は、支持板の背板と反対側の側縁に突片と同一の形状で凹設される凹部を備えるので、例えば、１枚の板状の素材から２組の本体部材を打ち抜く場合には、打ち抜き前の状態において、一方の本体部材の突片を他方の本体部材の凹部に受け入れさせておくことができ、その分、板状の素材に必要とされる面積を抑制できる。
【図面の簡単な説明】
【００１７】
【図１】（ａ）は、一実施形態における花立てスタンドの正面斜視図であり、（ｂ）は、花立てスタンドの背面斜視図である。
【図２】本体部材の展開図である。
【図３】（ａ）から（ｄ）は、本体部材の折り曲げ過程を時系列で示す花立てスタンドの上面図である。
【図４】（ａ）から（ｄ）は、本体部材の折り曲げ過程を時系列で示す花立てスタンドの側面図である。
【図５】（ａ）は、花梱包箱に組み込まれる前の状態における花立てスタンドの背面斜視図であり、（ｂ）は、花梱包箱に組み込まれた状態における花立てスタンドの背面斜視図である。
【図６】打ち抜き素材の正面図である。
【発明を実施するための形態】
【００１８】
以下、本発明の好ましい実施の形態について添付図面を参照して説明する。まず、図１及び図２を参照して一実施形態における花立てスタンド１００の全体構成について説明する。
【００１９】
図１（ａ）は、一実施形態における花立てスタンド１００の正面斜視図であり、図１（ｂ）は、花立てスタンド１００の背面斜視図である。図２は、本体部材１の展開図である。なお、図１（ａ）では、図面を簡素化して、理解を容易とするために、給水袋９０が二点鎖線を用いて模式的に図示される。
【００２０】
図１に示すように、花立てスタンド１００は、柔軟性を有する給水袋９０と、その給水袋９０の袋口が連通される花茎挿入口１１を有すると共に段ボールを折り曲げて形成される本体部材１０とを備え、後述するように、花梱包箱ＢＸに収容され（組み込まれ）、切り花の花茎の基端を本体部材１０の花茎挿入口１１から給水袋内９０に挿入した状態で使用される（図５参照）。
【００２１】
図１及び図２に示すように、本体部材１は、正面視略円形の花茎挿入口１１が略中央に開口形成されると共に給水袋９０が底面側に取り付けられる正面視略矩形の支持板１０と、その支持板１０の一辺（背板折曲辺６１）を折り曲げて形成される正面視略矩形の背板２０と、その背板２０の対向する二辺（脚板折曲辺６２）を折り曲げて形成され支持板１０の底面側に配置される正面視略矩形の一対の脚板３０とを備える。
【００２２】
また、本体部材１は、支持板１０における背板２０側の側縁（第１連結辺６３）と一対の脚板３０における背板２０側の側縁（第２連結辺６４）との間をそれぞれ連結する正面視略三角形の一対の連結板４０を備える。本実施形態では、支持板１０の幅寸法（図２左右方向寸法）が、背板２０の幅寸法（図２左右方向寸法）よりも大きな寸法に設定され、支持板１０の側縁（第１連結辺６３を除く部分）と連結板４０の側縁とが一直線上に配置とされる。
【００２３】
背板折曲辺６１は、支持板１０及び背板２０の間の折り曲げ部分であり、脚板折曲辺６２は、背板２０及び脚板３０の間の折り曲げ部分であり、第１連結辺６３は、支持板１０及び連結板４０の間の折り曲げ部分であり、第２連結辺６４は、脚板３０及び連結板４０の間の折り曲げ部分である。
【００２４】
これら背板折曲辺６１、脚板折曲辺６２、第１連結辺６３及び第２連結辺６４には、図１に示す展開状態において、折り目が形成され、これら各辺６１〜６４が折り曲げやすくされる。なお、本実施形態では、脚板折曲辺６２、第１連結辺６３及び第２連結辺６４には、ミシン目（所定の間隔を隔てて連続する小孔）が形成される。よって、後述するように、背板２０の対向する二辺（脚板折曲辺６２）を折り曲げて一対の脚板３０を形成する際には、その折り曲げに伴って、第１連結辺６３及び第２連結辺６４を折り曲げやすくできる（図３及び図４参照）。
【００２５】
ここで、本体部材１を箱状に形成するために、背板折曲辺６１、脚板折曲辺６２、第１連結辺６３及び第２連結辺６４を折り曲げる際には、それら各辺６１〜６４の交差部分に変形が集中し、折り曲げが阻害されるおそれがあるところ、本体部材１は、背板折曲辺６１、脚板折曲辺６２、第１連結辺６３及び第２連結辺６４が交差する部分に正面視円形に開口形成される交差部開口５０を備える。よって、交差部開口５０の空間内へ素材（段ボール）を受け入れて、各辺６１〜６４の折り曲げを許容しやすくできる。
【００２６】
本体部材１は、一対の脚板３０の側縁のうちの支持板１０の底面に対面する側の側縁（図２上側の側縁）からそれぞれ突設される一対の突片３１と、それら一対の突片３１がそれぞれ差し込み可能に支持板１０に開口形成される一対の差し込み孔１２とを備える。よって、支持板１０と一対の脚板３０との相対位置を固定できるので、花立てスタンド１００の自立姿勢を安定化できる。
【００２７】
ここで、差し込み孔１２は、正面視長方形の開口として形成される開口部１２ａと、その開口部１２ａの長手方向端部（背板２０側の端部）に連設され正面視円弧状に湾曲するスリット（切れ目）として形成されるスリット部１２ｂとからなる。一方、突片３１は、脚板３０との接続部分となる基部の一側（背板２０側）に正面視コ字状の切り込み３１ａが凹設される。
【００２８】
開口部１２ａの幅寸法（開口部１２ａの長手方向に直交する方向の寸法）及び切り込み３１ａの幅寸法（図２上下方向寸法）は、本体部材１（段ボール）の厚み寸法（図２紙面垂直方向寸法）と略同等とされる。また、スリット部１２ｂの長さ寸法（開口部１２ａの長手方向に沿う方向の寸法）は、切り込み３１ａの凹設深さ（図２左右方向寸法）と略同等とされる。
【００２９】
よって、差し込み孔１２に突片３１を差し込んだ状態では、差し込み孔１２のスリット部１２ｂ近傍の段ボールを、切り込み３１ａの凹設部分に挟み込ませることができる。これにより、支持板１０と脚板３０との相対位置を強固に固定できるので、後述するように、給水袋９０に注水する際に（図５（ａ）参照）、給水袋９０が一方の脚板３０へ寄り掛かった場合でも、花立てスタンド１００が傾倒することを抑制できる。また、花立てスタンド１００を作業者が運搬する際に、差し込み孔１２から突片３１が抜け出ることを抑制できる。
【００３０】
本体部材１は、背板２０に開口形成される把持用開口２１を備える。把持用開口２１は、横長（即ち、背板折曲辺６１に沿う方向に長い）長穴形状に形成され、背板折曲辺６１と所定間隔を隔てた位置に配置される。よって、花立てスタンド１００を運搬する際や花梱包箱ＢＸ（図５参照）へ組み込む際には、第二指から第五指（人差し指、中指、薬指、小指）のいずれか又は全てを把持用開口２１に挿入しつつ、第一指（親指）で支持板１０の上面を押さえて、花立てスタンド１００を持つ（把持する）ことができる。これにより、給水袋９０を持つ必要がないので、花立てスタンド１００を運搬する際や花梱包箱ＢＸへ組み込む際に、給水袋９０から水があふれることを抑制できる。
【００３１】
この場合、把持用開口２１は、背板２０に形成される。即ち、支持板１０から背板２０を折り曲げる一辺（背板折曲辺６１）と、背板２０から一対の脚板３０を折り曲げる二辺（脚板折曲辺６２）とに囲まれた領域に把持用開口２１が形成されるので、本体部材１の剛性の高い部分を持ち手とすることができる。よって、花立てスタンド１００を安定した姿勢で運搬できる。
【００３２】
なお、把持用開口２１と背板折曲辺６１との間の間隔（図２上下方向寸法）は、花立てスタンド１００の持ちやすさを考慮して、略１０ｍｍから略１５０ｍｍの間の寸法に設定されることが好ましい。本実施形態では、把持用開口２１と背板折曲辺６１との間の間隔（図２上下方向寸法）が３０ｍｍに設定される。
【００３３】
次いで、図３及び図４を参照して、本体部材１を折り曲げて、花立てスタンド１００を組み立てる方法について説明する。
【００３４】
図３（ａ）から図３（ｄ）は、本体部材１の折り曲げ過程を時系列で示す花立てスタンド１００の上面図であり、図４（ａ）から図４（ｄ）は、本体部材１の折り曲げ過程を時系列で示す花立てスタンド１００の側面図である。
【００３５】
なお、図３及び図４では、図面を簡素化して、理解を容易とするために、給水袋９０の図示が省略される。また、図３（ａ）、図３（ｂ）、図３（ｃ）及び図３（ｄ）に示す各状態は、図４（ａ）、図４（ｂ）、図４（ｃ）及び図４（ｄ）に示す各状態にそれぞれ対応する。
【００３６】
花立てスタンド１００の組み立ては、図３（ａ）及び図４（ａ）に示す状態から、背板２０の対向する二辺（脚板折曲辺６２）を折り曲げて、一対の脚板３０を互いに近接する方向へ変位させる。この場合、上述したように、本体部材１は、支持板１０における背板２０側の側縁（第１連結辺６３）と一対の脚板３０における背板２０側の側縁（第２連結辺６４）との間が一対の連結板４０によって連結される。
【００３７】
よって、一対の脚板３０が互いに近接する方向へ変位されると、その変位に伴って、第２連結辺６４が谷折りとなる方向（折り目の線が内側に隠れる方向）に折り曲げられることで、第１連結辺６３が山折りとなる方向（折り目の線が外側となる方向）に折り曲げられ、これにより、図３（ｂ）から図３（ｄ）及び図４（ｂ）から図４（ｄ）に示すように、支持板１０の一辺（背板折曲辺６１）が折り曲げられて、支持板１０が脚板３０へ近接する方向へ傾倒される。即ち、一対の脚板３０の変位に支持板１０が追従される。
【００３８】
突片３１は、上述したように、脚板３０の側縁のうちの支持板１０の底面に対面する側の側縁から突設されるので、図３（ｄ）及び図４（ｄ）に示す位置まで一対の脚板３０を変位させると、支持板１０の差し込み孔１２に対して突片３１を対面させることができる。よって、その後は、支持板１０を下方（脚板３０）へ向けて押し込むのみで、突片３１を差し込み孔１２へ差し込むことができる。
【００３９】
このように、花立てスタンド１００によれば、一対の脚板３０を互いに近接する方向へ変位させると、連結板４０を介して、一対の脚板３０の変位を支持板１０に伝達して、支持板１０を下方（脚板３０）へ向けて傾倒させることができる。
【００４０】
即ち、支持板１０と一対の脚板３０との３枚をそれぞれ別々に折り曲げる必要がなく、右手および左手で左右から一対の脚板３０を互いに近接する方向へ変位させれば（折り曲げれば）、支持板１０が追従されるので、花立てスタンド１００を効率的に組み立てることができる。また、図３（ｄ）及び図４（ｄ）に示す位置まで一対の脚板３０を変位させれば、脚板を操作する手を放しても、その状態が維持されるので、突片３１を差し込み孔１２へ差し込む操作を両手で行うことができ、この点からも、花立てスタンド１００を効率的に組み立てることができる。
【００４１】
なお、図３（ｄ）に示すように、支持板１０の一対の差し込み孔１２に一対の脚板３０の突片３１がそれぞれ差し込まれる位置では、一対の脚板３０の対向間隔が、背板２０から離間するほど大きくされる。即ち、背板２０と反対側（即ち、接地する部材が無い側）ほど一対の脚板３０の対向間隔を大きくするので、花立てスタンド１００の自立姿勢を安定化できる。
【００４２】
次いで、図５を参照して、花立てスタンド１００の使用方法について説明する。図５（ａ）は、花梱包箱ＢＸに組み込まれる前の状態における花立てスタンド１００の背面斜視図であり、図５（ｂ）は、花梱包箱ＢＸに組み込まれた状態における花立てスタンド１００の背面斜視図である。
【００４３】
図５（ａ）に示すように、花立てスタンド１００を上述のように組み立てた後は、その花立てスタンド１００を、例えば、作業台に設置する。作業台に設置された花立てスタンド１００は、自立するので、花茎挿入口１１から給水袋９０内への注水を行う。その後、図５（ｂ）に示すように、花立てスタンド１００を地面に設置した花梱包箱ＢＸへ組み込み、切り花の花茎の基端を花茎挿入口１１から給水袋９０内に挿入し、花梱包箱ＢＸを閉封する。これにより、給水袋９０内の水分を吸水可能な状態で切り花を輸送することができる。
【００４４】
花立てスタンド１００によれば、上述したように、支持板１０と、その支持板１０の一辺（背板折曲辺６１）を折り曲げて形成される背板２０と、その背板２０の対向する二辺（脚板折曲辺６２）を折り曲げて形成され支持板１０の底面側に配置される一対の脚板３０とから本体部材１が形成されるので、図５（ａ）に示す状態において、支持板１０を、背板２０及び一対の脚板３０によって三方から支えることができる。よって、従来品のように、折り曲げ部分を基点として本体部材１が傾倒することを抑制でき、注水の際の花立てスタンド１００の自立姿勢を安定化できる。
【００４５】
最後に、図６を参照して、本体部材１の打ち抜き方法について説明する。図６は、打ち抜き素材ＣＢの正面図である。なお、図６では、打ち抜き素材ＣＢの外形を二点鎖線を用いて図示する。
【００４６】
図６に示すように、打ち抜き素材ＣＢは、本体部材１を図２に示す展開図の如く打ち抜くための正面視矩形の段ボールであり、本実施形態では、１枚の打ち抜き素材ＣＢから２組の本体部材１が打ち抜かれる。２組の本体部材１は、互いの支持板１０を左右に隣接させつつ、支持板１０の背板２０と反対側の側縁を、相手の脚板３０の突片３１が突設される側の側縁に隣接させた向い合せの姿勢で配置される。
【００４７】
この場合、本実施形態では、本体部材１は、支持板１０の背板２０と反対側の側縁に、突片３１と同一の形状で凹設される凹部１３を備えるので、凹部１３に相手の突部３１を受け入れさせておくことができる。よって、その分、突片３１の突設方向（図６上下方向）における打ち抜き素材ＣＢの寸法を小さくでき、かかる打ち抜き素材ＣＢに必要とされる面積を抑制できる。言い換えると、１の打ち抜き素材ＣＢからの本体部材１の取り個数を多くできる。
【００４８】
以上、実施の形態に基づき本発明を説明したが、本発明は上記実施の形態に何ら限定されるものではなく、本発明の趣旨を逸脱しない範囲内で種々の改良変形が可能であることは容易に推察できるものである。
【００４９】
上記実施形態では、支持板１０及び脚板３０に差し込み孔１２及び突片３１を形成し、差し込み孔１２へ突片３１を差し込む構成を説明したが、必ずしもこれに限られるものではなく、差し込み孔１２及び突片３１の形成を省略しても良い。
【００５０】
上記実施形態では、支持板１０及び脚板３０の側縁の間を連結板４０により連結する構成を説明したが、必ずしもこれに限られるものではなく、連結板４０の形成を省略しても良い。
【００５１】
上記実施形態では、支持板１０の幅寸法（図２左右方向寸法）が背板２０の幅寸法（図２左右方向寸法）よりも大きくされる場合を説明したが、必ずしもこれに限られるものではなく、支持板１０の幅寸法は、背板２０の幅寸法と同等であっても良く、或いは、背板２０の幅寸法よりも小さくされても良い。
＜その他＞
＜手段＞
技術的思想１の花立てスタンドは、柔軟性を有する給水袋と、その給水袋の袋口が連通される花茎挿入口を有する本体部材とを備え、箱状の花梱包箱に収容され、切り花の花茎の基端を前記本体部材の花茎挿入口から前記給水袋内に挿入した状態で使用される花立てスタンドにおいて、前記本体部材は、前記花茎挿入口が開口形成されると共に前記給水袋が底面側に取り付けられる支持板と、その支持板の一辺を折り曲げて形成される背板と、その背板の対向する二辺を折り曲げて形成され前記支持板の底面側に配置される一対の脚板と、を備える。
技術的思想２の花立てスタンドは、技術的思想１記載の花立てスタンドにおいて、前記本体部材は、前記支持板における前記背板側の側縁と前記一対の脚板における前記背板側の側縁との間をそれぞれ連結する一対の連結板を備える。
技術的思想３の花立てスタンドは、技術的思想２記載の花立てスタンドにおいて、前記本体部材は、前記支持板および連結板の間の折り曲げ部分となる第１連結辺と、前記脚板および連結板の間の折り曲げ部分となる第２連結辺とが交差する部分に開口形成される交差部開口を備える。
技術的思想４の花立てスタンドは、技術的思想１から３のいずれかに記載の花立てスタンドにおいて、前記本体部材は、前記一対の脚板の側縁のうちの前記支持板の底面に対面する側の側縁からそれぞれ突設される突片と、それら一対の脚板の突片がそれぞれ差し込み可能に前記支持板に開口形成される一対の差し込み孔とを備える。
技術的思想５の花立てスタンドは、技術的思想４記載の花立てスタンドにおいて、前記支持板の一対の差し込み孔に前記一対の脚板の突片がそれぞれ差し込まれた状態では、前記一対の脚板の対向間隔が前記背板から離間するほど大きくされる。
技術的思想６の花立てスタンドは、技術的思想１から５のいずれかに記載の花立てスタンドにおいて、前記本体部材は、前記背板に開口形成される把持用開口を備える。
技術的思想７の花立てスタンドは、技術的思想４から６のいずれかに記載の花立てスタンドにおいて、前記本体部材は、前記支持板の前記背板と反対側の側縁に前記突片と同一の形状で凹設される凹部を備える。
＜効果＞
技術的思想１記載の花立てスタンドによれば、本体部材は、花茎挿入口が開口形成されると共に給水袋が底面側に取り付けられる支持板と、その支持板の一辺を折り曲げて形成される背板と、その背板の対向する二辺を折り曲げて形成され支持板の底面側に配置される一対の脚板とを備えるので、支持板を、背板および一対の脚板によって三方から支えることができる。即ち、折り曲げ部分を基点として傾倒することを抑制できる。よって、自立姿勢を安定化できる。
なお、本体部材の素材としては、例えば、紙製の紙板、プラスチック（例えば、ポリプロピレンやポリカーボネート）製のシート又は板状体、紙製またはプラスチック製の段ボールが例示される。段ボールは、片面段ボール又は両面段ボールのいずれであっても良い。また、紙製の紙板・段ボールは、防水紙板・防水段ボール、はっ水紙板・はっ水段ボール、耐水紙板・耐水段ボールのいずれでであっても良い。
技術的思想２記載の花立てスタンドによれば、技術的思想１記載の花立てスタンドの奏する効果に加え、本体部材は、支持板における背板側の側縁と一対の脚板における背板側の側縁との間をそれぞれ連結する一対の連結板を備えるので、背板に対して一対の脚板を折り曲げる際に、連結板を介して、支持板を背板に対して折り曲げることができる。よって、花立てスタンドの組み立てを効率化できる。
技術的思想３記載の花立てスタンドによれば、技術的思想２記載の花立てスタンドの奏する効果に加え、本体部材は、支持板および連結板の間の折り曲げ部分となる第１連結辺と、脚板および連結板の間の折り曲げ部分となる第２連結辺とが交差する部分に開口形成される交差部開口を備えるので、かかる交差部開口の空間内へ素材を受け入れて、第１連結辺および第２連結辺の折り曲げを許容しやすくできる。
技術的思想４記載の花立てスタンドによれば、技術的思想１から３のいずれかに記載の花立てスタンドの奏する効果に加え、本体部材は、一対の脚板の側縁のうちの支持板の底面に対面する側の側縁からそれぞれ突設される突片と、それら一対の脚板の突片がそれぞれ差し込み可能に支持板に開口形成される一対の差し込み孔とを備えるので、支持板と一対の脚板との相対位置を固定でき、自立姿勢を安定化できる。
技術的思想５記載の花立てスタンドによれば、技術的思想４記載の花立てスタンドの奏する効果に加え、支持板の一対の差し込み孔に一対の脚板の突片がそれぞれ差し込まれた状態では、一対の脚板の対向間隔が背板から離間するほど大きくされるので、接地領域を確保でき、その分、自立姿勢を安定化できる。
技術的思想６記載の花立てスタンドによれば、技術的思想４又は５に記載の花立てスタンドの奏する効果に加え、本体部材は、背板に開口形成される把持用開口を備えるので、把持用開口を利用して本体部材を把持でき、給水袋を持つ必要がないので、運搬や花梱包箱へ組み込む際に、給水袋から水があふれることを抑制できる。
また、把持用開口は、背板に形成される、即ち、支持板から背板を折り曲げる一辺と背板から一対の脚板を折り曲げる二辺との三辺に取り囲まれた領域に形成されるので、本体部材の剛性の高い部分を持ち手とすることができる。よって、花立てスタンドを安定した姿勢で運搬できる。
技術的思想７記載の花立てスタンドによれば、技術的思想４から６のいずれかに記載の花立てスタンドの奏する効果に加え、本体部材は、支持板の背板と反対側の側縁に突片と同一の形状で凹設される凹部を備えるので、例えば、１枚の板状の素材から２組の本体部材を打ち抜く場合には、打ち抜き前の状態において、一方の本体部材の突片を他方の本体部材の凹部に受け入れさせておくことができ、その分、板状の素材に必要とされる面積を抑制できる。
【符号の説明】
【００５２】
１００      花立てスタンド
１          本体部材
９０        給水袋
１０        支持板
１１        花茎挿入口
１２        差し込み孔
１３        凹部
２０        背板
２１        把持用開口
３０        脚板
３１        突片
４０        連結板
５０        交差部開口
６１        背板折曲辺（支持板の一辺）
６２        脚板折曲辺（背板の二辺）
６３        第１連結辺
６４        第２連結辺
ＢＸ        花梱包箱
【要約】
【課題】自立姿勢を安定化できる花立てスタンドを提供する。
【解決手段】花立てスタンド１００は、支持板１０と、その支持板１０の一辺（背板折曲辺６１）を折り曲げて形成される背板２０と、その背板２０の対向する二辺（脚板折曲辺６２）を折り曲げて形成され支持板１０の底面側に配置される一対の脚板３０とから本体部材１が形成されるので、支持板１０を、背板２０及び一対の脚板３０によって三方から支えることができる。よって、従来品のように、折り曲げ部分を基点として本体部材１が傾倒することを抑制でき、花立てスタンド１００の自立姿勢を安定化できる。
【選択図】図１【図１】
0005953499.tif 000002
【図２】
0005953499.tif 000003
【図３】
0005953499.tif 000004
【図４】
0005953499.tif 000005
【図５】
0005953499.tif 000006
【図６】
0005953499.tif 000007